(57)【要約】【課題】ヘッドの交換が容易なヘッドアームアセンブリと、そのようなヘッドアームアセンブリを備えた情報記録装置、および、そのようなヘッドアームアセンブリにおいてスライダを保持するサスペンションとを提供する。【解決手段】磁気ディスク２００に対して情報記録や情報再生を実行するヘッド１２１が搭載され磁気ディスク２００に近接あるいは接触するスライダ１２０と、スライダ１２０を一端に保持した板バネ１３３ａと、その板バネ１３３ａの他端を保持した、所定箇所に溝１３２ａが設けられたアーム１３２と、板バネ１３３ａから帯状に延び出した、上記のヘッド１２１に接続される導体パターンがその帯に沿って設けられた、その帯の途中の箇所が上記溝１３２ａ内に取り付けられて、この箇所におけるアーム１３２とは逆側の縁に帯の幅方向の凹凸１３３ｃ＿２を有するロングテール１３３ｃとを備えた。【選択図】        図２
2010009691.tif 000002
【特許請求の範囲】
【請求項１】
情報記録媒体に対して情報記録およびまたは情報再生を実行するヘッドが搭載され該情報記録媒体に近接あるいは接触するスライダと、
前記スライダを一端に保持した板バネと、
前記板バネの前記一端に対する他端を保持した、所定箇所に溝が設けられたアームと、
前記板バネから帯状に延び出した、前記ヘッドに接続される導体パターンがその帯に沿って設けられた、その帯の途中の箇所が前記アームの前記溝内に取り付けられて該箇所の両縁の一方が該アーム側を向く、該箇所における該アームとは逆側の縁に帯の幅方向の凹凸を有するテールとを備えたことを特徴とするヘッドアームアセンブリ。
【請求項２】
前記テールを前記溝内に固定した接着剤を備えたことを特徴とする請求項１記載のヘッドアームアセンブリ。
【請求項３】
前記接着剤が、前記溝の縁と前記テールの前記凹凸とに付着して該テールを該溝内に固定したものであることを特徴とする請求項２記載のヘッドアームアセンブリ。
【請求項４】
情報記録媒体と、
前記情報記録媒体に対して情報記録およびまたは情報再生を実行するヘッドが搭載され該情報記録媒体に近接あるいは接触するスライダと、
前記スライダを一端に保持した板バネと、
前記板バネの前記一端に対する他端を保持した、所定箇所に溝が設けられたアームと、
前記板バネから帯状に延び出した、前記ヘッドに接続される導体パターンがその帯に沿って設けられた、その帯の途中の箇所が前記アームの前記溝内に取り付けられて該箇所の両縁の一方が該アーム側を向く、該箇所における該アームとは逆側の縁に帯の幅方向の凹凸を有するテールとを備えたことを特徴とする情報記録装置。
【請求項５】
情報記録媒体に対して情報記録およびまたは情報再生を実行するヘッドが搭載され該情報記録媒体に近接あるいは接触するスライダを一端に保持し該一端に対する他端がアームに保持される板バネと、
前記板バネから帯状に延び出した、前記ヘッドに接続される導体パターンがその帯に沿って設けられた、その帯の途中の箇所が前記アームに取り付けられて該箇所の両縁の一方が該アーム側を向く、該箇所における該アームとは逆側の縁に帯の幅方向の凹凸を有するテールとを備えたことを特徴とするサスペンション。
【発明の詳細な説明】
【技術分野】
【０００１】
本件は、情報記録媒体に対して情報記録や情報再生を実行するヘッドが搭載されたスライダを保持するとともに、そのスライダを情報記録媒体に対して移動させるヘッドアームアセンブリ、そのようなヘッドアームアセンブリを備えた情報記録装置、および、そのようなヘッドアームアセンブリにおいてスライダを保持するサスペンションに関する。
【背景技術】
【０００２】
コンピュータの分野では、日常的に多量の情報が取り扱われるようになっており、このような多量の情報を記録再生する情報記録装置の１つとして、ハードディスク装置（ＨＤＤ：Ｈａｒｄ  Ｄｉｓｋ  Ｄｒｉｖｅ）が使用されている。ＨＤＤは情報記録容量が大きく情報へのアクセス速度が速いという特徴を持ち、一般に、表面が磁性材料からなる磁気ディスク、およびこの磁気ディスクに対する情報記録や情報再生を実行するヘッドを備えている。
【０００３】
図６は、ＨＤＤの一例を示す図である。
【０００４】
図６に示すＨＤＤ５００は、パーソナルコンピュータなどに代表されるホスト装置に接続され、あるいは内部に組み込まれて利用される。
【０００５】
図６に示すように、ＨＤＤ５００のハウジング５０１には、情報記録や情報再生の対象となる磁気ディスク６００、磁気ディスク６００を回転させるスピンドルモータ５１０、情報記録や情報再生を実行する後述のヘッドが搭載されたスライダ５２０（図７参照）、スライダ５２０を保持し、アーム軸５３１を中心に回動することでスライダ５２０を磁気ディスク６００に対して移動させるヘッドアームアセンブリ５３０、ヘッドアームアセンブリ５３０を回動させるボイスコイルモータ５４０、およびＨＤＤ５００の動作を制御する制御回路５５０が収容されている。また、ヘッドアームアセンブリ５３０は、ボイスコイルモータ５４０によって駆動されるアーム５３２、およびスライダ５２０を先端に保持するサスペンション５３３が備えられており、それらアーム５３２およびサスペンション５３３は、連結部５３４で連結されている。
【０００６】
ここで、従来、ＨＤＤ内における各ヘッドと制御回路との間の各種情報のやり取りは、多くの場合、サスペンションの表面に形成された配線パターン、アームから制御回路までを電気的に結ぶフレキシブルプリント基板（ＦＰＣ：Ｆｌｅｘｉｂｌｅ  Ｐｒｉｎｔｅｄ  Ｃｉｒｃｕｉｔｓ）、および、これら配線パターンとＦＰＣとの間を中継する中継ＦＰＣを介して行われている。このような構造に対し、部品点数の削減等のために、表面に配線パターンが形成されたサスペンションと上記の中継ＦＰＣとが一体化された、いわゆるロングテールタイプのサスペンションが注目されている（例えば、特許文献１および特許文献２参照）。
【０００７】
図６のＨＤＤ５００におけるサスペンション５３３は、このロングテールタイプのサスペンションである。
【０００８】
図７は、図６に示すヘッドアームアセンブリの拡大図である。
【０００９】
図６にも示すように、ヘッドアームアセンブリ５３０は、アーム５３２に、スライダ５２０を先端に保持したサスペンション５３３が連結部５３４で連結されて構成されている。また、スライダ５２０の先端には、情報記録や情報再生を実行するヘッド５２１が搭載されている。ここで、サスペンション５３３は、上述したロングテールタイプであり、板バネ５３３ａと、その板バネ５３３ａの表面に形成されヘッド５２１に接続された配線パターン５３３ｂと、板バネ５３３ａに対して一体的に形成されて配線パターン５３３ｂから図６にも示すＦＰＣ５６０まで延びて両者を電気的に結ぶロングテール５３３ｃとで構成されている。配線パターン５３３ｂとロングテール５３３ｃとのそれぞれは、配線を形成する導体がポリイミド等の絶縁シートで被覆されたものであり、さらに、保護部材５３３ｂ＿１，５３３ｃ＿１を内包している。
【００１０】
また、図７では、各サスペンション５３３のロングテール５３３ｃが、アーム５３２の側面に設けられた溝５３２ａを経由してＦＰＣ５６０まで延び、この溝５３２ａにおいて、アーム５３２に所定の接着剤５７０によって接着固定されている。一般的に、ロングテールタイプのサスペンションを採用しているＨＤＤでは、この図７に示すような構造により、磁気ディスク６００の回転に伴う空気の流動によるロングテールのばたつきが抑えられている。
【特許文献１】特開２００５−７８６８８号公報
【特許文献２】特開２００７−１７９６８３号公報
【発明の開示】
【発明が解決しようとする課題】
【００１１】
ここで、ばたつきを抑えるための図７に示すような構造では、上記の溝５３２ａにおける各ロングテール５３３ｃの接着箇所での接着状況は、多くの場合、下記の図に示すようなものとなる。
【００１２】
図８は、図７におけるロングテールの接着箇所の断面を示す模式図である。
【００１３】
この図８に示すように、各ロングテール５３３ｃは、溝５３２ａの内壁面によって挟まれている。このため、接着剤５７０の塗布時には、溝５３２ａの内壁面と各ロングテール５３３ｃの表裏面との間に毛細管現象が生じ、未硬化状態の接着剤５７０が溝５３２ａの奥まで浸入する。さらに、図７に示すように、アーム５３２の中には、サスペンション５３３が２つ搭載されるものがあり、その場合には、この図８に示すように、２つのロングテール５３３ｃが互いに重なった状態で溝５３２ａに収納されることとなる。このときには、互いに重なった２つのロングテール５３３ｃの間にも毛細管現象が生じることとなり、未硬化状態の接着剤５７０がさらに奥まで浸入することとなる。
【００１４】
ところで、一般的に、ＨＤＤにおいて、劣化したヘッドを修理時に新品と交換する等といった運用がしばしば行なわれている。このようなヘッドの交換は、ヘッドを有するサスペンション単位で行われることが多いが、図８に示すようにロングテールの接着箇所で接着剤が溝の奥まで浸入していると、上記の交換時における古いサスペンションの取外しや、溝からの接着剤の除去等が非常に困難なものとなってしまう。
【００１５】
本件は、上記事情に鑑み、ヘッドの交換が容易なヘッドアームアセンブリと、そのようなヘッドアームアセンブリを備えた情報記録装置、および、そのようなヘッドアームアセンブリにおいてスライダを保持するサスペンションとを提供することを目的とする。
【課題を解決するための手段】
【００１６】
上記目的を達成するヘッドアームアセンブリの基本形態は、
情報記録媒体に対して情報記録およびまたは情報再生を実行するヘッドが搭載されその情報記録媒体に近接あるいは接触するスライダと、
上記スライダを一端に保持した板バネと、
上記板バネの上記一端に対する他端を保持した、所定箇所に溝が設けられたアームと、
上記板バネから帯状に延び出した、上記ヘッドに接続される導体パターンがその帯に沿って設けられた、その帯の途中の箇所が上記アームの上記溝内に取り付けられてその箇所の両縁の一方がそのアーム側を向く、その箇所におけるそのアームとは逆側の縁に帯の幅方向の凹凸を有するテールとを備えたことを特徴とする。
【００１７】
このヘッドアームアセンブリの基本形態では、上記板バネと上記テールとでロングテールタイプのサスペンションが構成されている。そして、上記テールの途中の箇所が、上記溝内に取り付けられ、その取り付けられた箇所における上記アームとは反対側の縁に幅方向の凹凸が設けられている。その結果、上記溝内に取り付けられた箇所の表面積がその凹凸によって広くなっている。この箇所の上記溝内への取付方法として簡単な方法は接着剤による固定であるが、このヘッドアームアセンブリの基本形態によれば、この固定の際に、テールの取付箇所と上記溝の内壁との間等に生じる毛細管現象が、上記凹凸によって広くなった表面積に起因する大きな表面張力によって抑制されて、未硬化状態の接着剤の浸入が抑えられる。このため、このヘッドアームアセンブリの基本形態によれば、取り付けられているテールを溝から取り出すことが容易であり、上記ヘッドを、上記板バネと上記テールとで構成されるサスペンション単位で容易に交換することができる。さらに、このヘッドアームアセンブリの基本形態によれば、未硬化状態の接着剤の浸入が抑えられることから、上記溝からの接着剤の除去が容易であり、この点においてもヘッドの交換を容易に行なうことができる。
【００１８】
また、上記目的を達成する情報記録装置の基本形態は、
情報記録媒体と、
上記情報記録媒体に対して情報記録およびまたは情報再生を実行するヘッドが搭載されその情報記録媒体に近接あるいは接触するスライダと、
上記スライダを一端に保持した板バネと、
上記板バネの上記一端に対する他端を保持した、所定箇所に溝が設けられたアームと、
上記板バネから帯状に延び出した、上記ヘッドに接続される導体パターンがその帯に沿って設けられた、その帯の途中の箇所が上記アームの上記溝内に取り付けられてその箇所の両縁の一方がそのアーム側を向く、その箇所におけるそのアームとは逆側の縁に帯の幅方向の凹凸を有するテールとを備えたことを特徴とする。
【００１９】
この情報記録装置の基本形態によれば、上述のヘッドアームアセンブリの基本形態と同様に、上記テールが上記縁に有している凹凸によりヘッドの交換を容易に行なうことができる。
【００２０】
また、上記目的を達成するサスペンションの基本形態は、
情報記録媒体に対して情報記録およびまたは情報再生を実行するヘッドが搭載されその情報記録媒体に近接あるいは接触するスライダを一端に保持しその一端に対する他端がアームに保持される板バネと、
上記板バネから帯状に延び出した、上記ヘッドに接続される導体パターンがその帯に沿って設けられた、その帯の途中の箇所が上記アームに取り付けられてその箇所の両縁の一方がそのアーム側を向く、その箇所におけるそのアームとは逆側の縁に帯の幅方向の凹凸を有するテールとを備えたことを特徴とする。
【００２１】
このサスペンションの基本形態によれば、上記アームと組み合わせることで、ヘッドの交換を容易に行なうことができる、上述のヘッドアームアセンブリの基本形態を簡単に実現することができる。
【発明の効果】
【００２２】
以上、説明したように、本件によれば、ヘッドの交換を容易に行なうことができる。
【発明を実施するための最良の形態】
【００２３】
以下、基本形態について説明したヘッドアームアセンブリ、情報記録装置、およびサスペンションの具体的な実施形態について、図面を参照して説明する。
【００２４】
図１は、基本形態について説明した情報記録装置の一例であるハードディスク装置（ＨＤＤ）を示す図である。
【００２５】
図１に示すＨＤＤ１００は、パーソナルコンピュータなどに代表されるホスト装置に接続され、あるいは内部に組み込まれて利用される。
【００２６】
図１に示すように、ＨＤＤ１００のハウジング１０１には、情報記録や情報再生の対象となる磁気ディスク２００、磁気ディスク２００を回転させるスピンドルモータ１１０、情報記録や情報再生を実行する後述のヘッドが搭載されたスライダ１２０（図２参照）、スライダ１２０を保持し、アーム軸１３１を中心に回動することでスライダ１２０を磁気ディスク２００に対して移動させるヘッドアームアセンブリ１３０、ヘッドアームアセンブリ１３０を回動させるボイスコイルモータ１４０、およびＨＤＤ１００の動作を制御する制御回路１５０が収容されている。ＨＤＤ１００は、ヘッド１２０の磁場を使って磁気ディスク２００に情報を記録したり、磁気ディスク２００に記録された情報を読み取るものである。
【００２７】
ここで、上記のヘッドアームアセンブリが、基本形態について説明したヘッドアームアセンブリの一例に相当し、磁気ディスク２００が、上述したヘッドアームアセンブリ、情報記録装置、およびサスペンションそれぞれの基本形態における情報記録媒体の一例に相当し、スライダ１２０が、それらの基本形態におけるスライダの一例に相当する。
【００２８】
磁気ディスク２００は、表面に、スピンドルモータ１１０の回転軸の周りを周回する線状のトラックが設けられており、トラックの周方向に複数の領域（セクタ）に分割されている。ＨＤＤ１００では、磁気ディスク２００上の各セクタに一連の論理アドレスが割り当てられている。
【００２９】
また、ヘッドアームアセンブリ１３０は、ボイスコイルモータ１４０によって動かされるアーム１３２、およびスライダ１２０を先端に保持するサスペンション１３３が備えられており、それらアーム１３２およびサスペンション１３３は、連結部１３４で連結されている。上記のアーム１３２は、上述の基本形態におけるアームの一例に相当する。
【００３０】
尚、このＨＤＤ１００には、複数の磁気ディスク２００が搭載されており、それら複数の磁気ディスク２００の表裏面それぞれに対して情報記録や情報再生を実行する複数のヘッドが備えられている。すなわち、ＨＤＤ１００には、磁気ディスク２００の表裏面それぞれに対して１つずつ、上記のスライダ１２０を保持したサスペンション１３３が備えられており、それら複数のサスペンション１３３がアーム１３２に連結されることによって、複数のスライダ１２０が一体的に移動される。
【００３１】
磁気ディスク２００に情報を書き込む際には、ホスト装置（図示しない）からＨＤＤ１００に向けて、磁気ディスク２００に記録する情報と、記録位置の論理アドレスが送られてくる。制御回路１５０は、論理アドレスを、磁気ディスク２００に設けられた複数のトラックのうちのどのトラックかを表わすシリンダ番号と、複数のヘッド１２１うちのどのヘッドかを表わすヘッド番号と、トラック上のどのセクタかを表わすセクタ番号とで構成された物理アドレスに変換する。制御回路１５０は、さらに、スピンドルモータ１１０を駆動して磁気ディスク２００を回転させるとともに、ボイスコイルモータ１４０を駆動してアーム１３２を物理アドレスのシリンダ番号が表わしているトラック上に移動させる。これら一連の処理により、スライダ１２０に搭載されたヘッドが物理アドレスのセクタ番号が表わすセクタの上に位置決めされる。
【００３２】
スライダ１２０に搭載されたヘッドが位置決めされるのに合わせて、制御回路１５０からヘッドに、情報を担持した書込電流が印加される。
【００３３】
ヘッドでは、内臓されたコイル（図示しない）によって、書込電流に応じた極性の磁界が発生する。その結果、コイルで発生した磁界が磁気ディスク２００に印加され、磁気ディスク２００にその磁界の極性に応じた向きの磁化が形成されて、磁気ディスク２００に情報が記録される。
【００３４】
また、磁気ディスク２００に記録された情報を読み取る際には、ホスト装置からＨＤＤ１００に向けて、情報の記録位置の論理アドレスが送られてくる。その後、情報書込時と同様にして、制御回路１５０によってスピンドルモータ１１０が駆動されて磁気ディスク２００が回転され、ボイスコイルモータ１４０が駆動されてアーム１３２が移動されることにより、スライダ１２０に搭載されたヘッドが磁気ディスク２００上に位置決めされる。
【００３５】
ヘッドでは、磁化から発生する磁界に応じた情報再生信号が生成される。情報再生信号は、デジタルデータに変換された後、制御回路１５０を介してホスト装置に送られる。
【００３６】
基本的には、以上のようにして磁気ディスク２００に対して情報記録や情報再生が行われる。
【００３７】
ここで、本実施形態では、サスペンション１３３が、サスペンションの表面に形成された配線パターンと、アーム１３２から制御回路１５０までを電気的に結ぶフレキシブルプリント基板（ＦＰＣ）１６０との間を中継する中継ＦＰＣとが一体化されたロングテールタイプのサスペンションである。
【００３８】
図２は、図１に示すヘッドアームアセンブリの拡大図である。
【００３９】
図１にも示すように、ヘッドアームアセンブリ１３０は、アーム１３２に、スライダ１２０を先端に保持したサスペンション１３３が連結部１３４で連結されて構成されている。また、スライダ１２０の先端には、情報記録や情報再生を実行するヘッド１２１が搭載されている。
【００４０】
また、図２の拡大図が示すヘッドアームアセンブリ１３０は、４枚の磁気ディスク２００それぞれの表裏両面にアクセスするものであり、５つのアーム１３２と、磁気ディスク２００の表面にアクセスするヘッド１２１を有する４つのサスペンション１３３と、裏面にアクセスするヘッド１２１を有する４つのサスペンション１３３とを備えている。最上段のアーム１３２には、最上段の磁気ディスク２００の表面用のサスペンション１３３が１つ搭載されており、最下段のアーム１３２には、最下段の磁気ディスク２００の裏面用のサスペンション１３３が１つ搭載されている。また、２段目のアーム１３２には、最上段の磁気ディスク２００の裏面用のサスペンション１３３と２段目の磁気ディスク２００の表面用のサスペンション１３３との２つのサスペンション１３３が搭載されており、３段目及び４段目の各アーム１３２にも、同様に裏面用と表面用との２つのサスペンション１３３が搭載されている。
【００４１】
ここで、各サスペンション１３３は、上述したロングテールタイプであり、板バネ１３３ａと、その板バネ１３３ａの表面に形成されヘッド１２０に接続された配線パターン１３３ｂと、板バネ１３３ａに対して一体的に形成されて配線パターン１３３ｂから図１にも示すＦＰＣ１６０まで延びて両者を電気的に結ぶロングテール１３３ｃとで構成されている。上記の板バネ１３３ａは、上述の基本形態における板バネの一例に相当し、ロングテール１３３ｃは、その基本形態におけるテールの一例に相当する。
【００４２】
配線パターン１３３ｂとロングテール１３３ｃとのそれぞれは、配線を形成する導体がポリイミド等の絶縁シートで被覆されたものであり、さらに、強度を持たせるための保護部材１３３ｂ＿１，１３３ｃ＿１を内包している。さらに、各サスペンション１３３のロングテール１３３ｃは、磁気ディスク２００の表面に沿って延び、ＦＰＣ１６０との接続箇所で、このＦＰＣ１６０に向かって折り曲げられている。この図２に示す構造により、配線パターン１３３ｂやロングテール１３３ｃの内部の導体が保護部材１３３ｂ＿１，１３３ｃ＿１で外力から保護されているとともに、ロングテール１３３ｃ内の導体に対して負荷を与える折り曲げの回数が抑制されている。
【００４３】
また、本実施形態では、各アーム１３２の側面に、ロングテール１３３ｃの幅よりも深い溝１３２ａが設けられている。各サスペンション１３３のロングテール１３３ｃは、アーム１３２の側面に設けられた溝１３２ａを経由してＦＰＣ１６０まで延び、この溝１３２ａにおいて、アーム１３２に所定の接着剤１７０によって接着固定されている。この図２に示す構造により、磁気ディスク２００の回転に伴う空気の流動によるロングテール１３３ｃのばたつきが抑えられている。また、本実施形態では、ロングテール１３３ｃの幅よりも深い溝１３２ａにより、ロングテール１３３ｃのばたつきが効果的に抑えられている。
【００４４】
このことは、上述の基本形態に対し、
「上記アームが、上記溝として上記テールの幅よりも深い溝を有するものである」という応用形態が好適であることを意味している。
【００４５】
本実施形態のアーム１３２は、この応用形態におけるアームの一例にも相当する。
【００４６】
ここで、本実施形態では、ロングテール１３３ｃの、溝１３２ａに取り付けられている箇所におけるアーム１３２とは逆側の縁に次のような凹凸１３３ｃ＿２が設けられている。この凹凸１３３ｃ＿２は、上述の基本形態における凹凸の一例に相当する。
【００４７】
図３は、図２に示すロングテールの接着箇所の拡大図であり、図４は、ロングテールのみを示す上面図である。
【００４８】
尚、図３では、図を見易くするために、接着剤１７０の図示が省略されている。
【００４９】
これら図３および図４に示すように、本実施形態では、ロングテール１３３ｃにおける、溝１３２ａの外側に向いた縁に、曲線的な波形の凹凸１３３ｃ＿２が設けられている。また、本実施形態では、ロングテール１３３ｃの溝１３２ａの外側に向いた縁において、ポリイミド等の被覆における内部の導体のパターンに対する余白部分が、その縁と反端側の縁にくらべて広くなっている。そして、本実施形態では、この余白部分に凹凸１３３ｃ＿２を設けることで、内部の導体のパターン形状に影響を与えることなく凹凸１３３ｃ＿２が設けられている。
【００５０】
ここで、上記のように凹凸１３３ｃ＿２が設けられた箇所で行われる接着固定による接着状況は、下記の図に示すようなものとなる。
【００５１】
図５は、図２におけるロングテールの接着箇所の断面を示す模式図である。
【００５２】
この図５に示すように、各ロングテール１３３ｃは、溝１３２ａの中を通過する。このため、接着剤１７０の塗布時には、溝１３２ａの内壁面と各ロングテール１３３ｃの表裏面との間に毛細管現象が生じる。また、アーム１３２のうちサスペンション１３３が２つ搭載されるものでは、溝１３２ａの中には、この図５に示すように、２つのロングテール１３３ｃが互いに重なった状態で収納されることとなる。この場合には、互いに重なった２つのロングテール１３３ｃの間にも毛細管現象が生じることとなる。
【００５３】
しかしながら、本実施形態では、上述したようにロングテール１３３ｃにおける、溝１３２ａの外側に向いた縁に凹凸１３３ｃ＿２が設けられた箇所で、接着剤１７０による接着固定が行われている。この凹凸１３３ｃ＿２が設けられた箇所では、その形状によって表面積が広くなっており、その広い表面積に起因する大きな表面張力のために上記のような毛細管現象が抑制されることとなる。その結果、接着剤１７０の塗布時における未硬化状態の接着剤１７０の溝１３２ａの内部への浸入が抑えられ、図５に模式的に示すように、接着剤１７０は溝１３２ａの入口付近に止まった状態で硬化することとなる。
【００５４】
また、本実施形態では、上述したように凹凸１３３ｃ＿２が曲線的な波形を有している。この曲線的な波形における滑らかな形状が、上記の毛細管現象の抑制に大きな効果を発揮することから、未硬化状態の接着剤１７０の溝の内部への浸入が効果的に抑制されることとなる。
【００５５】
このことは、上述の基本形態に対し、
「上記テールが、上記凹凸として曲線的な波形の凹凸を有するものである」という応用形態が好適であることを意味している。
【００５６】
本実施形態のロングテール１３３ｃおよび上記の凹凸１３３ｃ＿２は、各々、この応用形態におけるテールおよび凹凸の各一例に相当する。
【００５７】
また、本実施形態では、上述したように、ロングテール１３３ｃの溝１３２ａへの固定が、接着剤１７０による接着固定で行われている。接着固定は、固定についての十分な強度が得られるとともに作業が非常に簡単であり、本実施形態では、この接着固定の採用により、組立て作業の効率化が図られている。
【００５８】
このことは、上述の基本形態に対し、
「上記テールを上記溝内に固定した接着剤を備えた」という応用形態が好適であることを意味している。
【００５９】
ロングテール１３３ｃを溝１３２ａ内に固定している、図２に示す接着剤１７０は、この応用形態における接着剤の一例に相当する。
【００６０】
また、本実施形態では、接着剤１７０は、上記の溝１３２ａの縁とロングテール１３３ｃにおける凹凸１３３ｃ＿２とに付着して、このロングテール１３３ｃを溝１３２ａ内に固定している。その結果、本実施形態では、この凹凸１３３ｃ＿２による毛細管現象への抑制効果が効果的に生かされてロングテール１３３ｃが固定されている。
【００６１】
このことは、上記テールの固定を接着剤で行うという上述の応用形態に対し、
「上記接着剤が、上記溝の縁と上記テールの上記凹凸とに付着してそのテールをその溝内に固定したものである」という応用形態がさらに好適であることを意味している。
【００６２】
本実施形態の接着剤１７０は、この応用形態における接着剤の一例にも相当する。
【００６３】
以上に説明したように、本実施形態のＨＤＤ１００では、ロングテール１３３ｃの、アーム１３２の溝１３２ａの内への接着剤１７０による固定が、上記の毛細管現象が効果的に抑制されて、未硬化状態の接着剤１７０の浸入が抑えられた状態で行われている。そのため、本実施形態のＨＤＤ１００では、劣化したヘッド１２０をサスペンション１３３単位で新品と交換する際に、ロングテール１３３ｃをアーム１３２の溝１３２ａから取り出すことが容易であり、ヘッド１２０の交換を容易に行なうことができる。さらに、本実施形態のＨＤＤ１００では、未硬化状態の接着剤１７０の溝１３２ａの内部への浸入が上記のように抑えられていることから、この溝１３２ａからの接着剤１７０の除去も容易であり、この点においてもヘッド１２０の交換を容易に行なうことができる。
【００６４】
以上、説明したように、この本実施形態のＨＤＤ１００によれば、ヘッド１２０の交換を容易に行なうことができる。
【００６５】
尚、上記では、上述の基本形態および応用形態におけるテールの一例として、アーム１３２の溝１３２ａ内を通過する部分におけるアーム１３２とは逆側の縁のみに凹凸１３３ｃ＿２が１箇所だけ設けられているロングテール１３３ｃを例示したが、基本形態および応用形態におけるテールはこれに限るものではない。このテールは、例えば、溝内を通過する部分を越えた広い範囲における縁に凹凸が設けられているものであっても良く、あるいは、アームの溝を通過する部分の縁における複数の箇所それぞれに凹凸が設けられ、各凹凸の部分で接着固定が行われるもの等であっても良い。
【００６６】
また、上記では、上述の基本形態および応用形態におけるテールの一例として、曲線的な波形の凹凸を有するロングテール１３３ｃを例示したが、基本形態および応用形態におけるテールはこれに限るものではない。このテールは、例えば矩形状の凹凸や鋸歯状の凹凸等が設けられているものであっても良い。
【００６７】
以下、上述した基本形態を含む種々の形態に関し、更に以下の付記を開示する。
【００６８】
（付記１）
情報記録媒体に対して情報記録およびまたは情報再生を実行するヘッドが搭載され該情報記録媒体に近接あるいは接触するスライダと、
前記スライダを一端に保持した板バネと、
前記板バネの前記一端に対する他端を保持した、所定箇所に溝が設けられたアームと、
前記板バネから帯状に延び出した、前記ヘッドに接続される導体パターンがその帯に沿って設けられた、その帯の途中の箇所が前記アームの前記溝内に取り付けられて該箇所の両縁の一方が該アーム側を向く、該箇所における該アームとは逆側の縁に帯の幅方向の凹凸を有するテールとを備えたことを特徴とするヘッドアームアセンブリ。
【００６９】
（付記２）
前記テールが、前記凹凸として曲線的な波形の凹凸を有するものであることを特徴とする付記１記載のヘッドアームアセンブリ。
【００７０】
（付記３）
前記アームが、前記溝として前記テールの幅よりも深い溝を有するものであることを特徴とする付記１又は２記載のヘッドアームアセンブリ。
【００７１】
（付記４）
前記テールを前記溝内に固定した接着剤を備えたことを特徴とする付記１から３のうちいずれか１項記載のヘッドアームアセンブリ。
【００７２】
（付記５）
前記接着剤が、前記溝の縁と前記テールの前記凹凸とに付着して該テールを該溝内に固定したものであることを特徴とする付記４記載のヘッドアームアセンブリ。
【００７３】
（付記６）
情報記録媒体と、
前記情報記録媒体に対して情報記録およびまたは情報再生を実行するヘッドが搭載され該情報記録媒体に近接あるいは接触するスライダと、
前記スライダを一端に保持した板バネと、
前記板バネの前記一端に対する他端を保持した、所定箇所に溝が設けられたアームと、
前記板バネから帯状に延び出した、前記ヘッドに接続される導体パターンがその帯に沿って設けられた、その帯の途中の箇所が前記アームの前記溝内に取り付けられて該箇所の両縁の一方が該アーム側を向く、該箇所における該アームとは逆側の縁に帯の幅方向の凹凸を有するテールとを備えたことを特徴とする情報記録装置。
【００７４】
（付記７）
情報記録媒体に対して情報記録およびまたは情報再生を実行するヘッドが搭載され該情報記録媒体に近接あるいは接触するスライダを一端に保持し該一端に対する他端がアームに保持される板バネと、
前記板バネから帯状に延び出した、前記ヘッドに接続される導体パターンがその帯に沿って設けられた、その帯の途中の箇所が前記アームに取り付けられて該箇所の両縁の一方が該アーム側を向く、該箇所における該アームとは逆側の縁に帯の幅方向の凹凸を有するテールとを備えたことを特徴とするサスペンション。
【図面の簡単な説明】
【００７５】
【図１】情報記録装置の具体的な実施形態であるハードディスク装置（ＨＤＤ）を示す図である。
【図２】図１に示すヘッドアームアセンブリの拡大図である。
【図３】図２に示すロングテールの接着箇所の拡大図である。
【図４】ロングテールのみを示す上面図である。
【図５】図２におけるロングテールの接着箇所の断面を示す模式図である。
【図６】ＨＤＤの一例を示す図である。
【図７】図６に示すヘッドアームアセンブリの拡大図である。
【図８】図７におけるロングテールの接着箇所の断面を示す模式図である。
【符号の説明】
【００７６】
１００，５００    ＨＤＤ
１０１，５０１    ハウジング
１１０，５１０    スピンドルモータ
１２０，５２０    ヘッド
１２１，５２１    スライダ
１３０，５３０    ヘッドアームアセンブリ
１３１，５３１    アーム軸
１３２，５３２    アーム
１３２ａ，５３２ａ    溝
１３３，５３３    サスペンション
１３３ａ，５３３ａ    板バネ
１３３ｂ，５３３ｂ    配線パターン
１３３ｂ＿１，１３３ｃ＿１，５３３ｂ＿１，５３３ｃ＿１    保護部材
１３３ｃ，５３３ｃ    ロングテール
１３３ｃ＿２    凹凸
１３４，５３４    連結部
１４０，５４０    ボイスコイルモータ
１５０，５５０    制御回路
１６０，５６０    ＦＰＣ
１７０，５７０    接着剤
２００，６００    磁気ディスク
【図１】
2010009691.tif 000003
【図２】
2010009691.tif 000004
【図３】
2010009691.tif 000005
【図４】
2010009691.tif 000006
【図５】
2010009691.tif 000007
【図６】
2010009691.tif 000008
【図７】
2010009691.tif 000009
【図８】
2010009691.tif 000010